(57)【要約】【課題】簡易な構成で吸音板の保持が可能であり、且つ、簡易な構成でカバー部材により吸音板を覆うことが可能な間仕切りを提供する。【解決手段】間仕切り１０を構成する枠部材２０は、幅方向に離間して配置された複数の縦枠部２１，２２と、上下方向に離間して配置されて幅方向の両端が縦枠部２１，２２にそれぞれ連結された複数の横枠部２３〜２５とを有する。この枠部材２０には、縦枠部２１，２２及び横枠部２３〜２５によって囲まれるとともに前後方向に開放される領域２６，２７が形成されている。領域２６，２７には吸音板３１，３４が配置されている。枠部材２０及び吸音板３１，３４はカバー部材４０により覆われ、吸音板３１，３４の領域２６，２７から前後方向への脱落が、カバー部材４０により規制されている。【選択図】      図１
2018040158.tif 000002
【特許請求の範囲】
【請求項１】
幅方向に離間して配置された複数の縦枠部と、上下方向に離間して配置されて幅方向の両端が前記縦枠部にそれぞれ連結された複数の横枠部とを有し、前記縦枠部及び前記横枠部によって囲まれるとともに前後方向に開放される領域が形成されている枠部材と、
前記領域に配置されている吸音板と、
前記枠部材及び前記吸音板を覆い、前記吸音板が前記領域から前記前後方向へ脱落することを規制するカバー部材と、を備える間仕切り。
【請求項２】
前記吸音板は、前記領域を形成する前記縦枠部の間、又は前記領域を形成する前記横枠部の間の少なくとも一方に嵌め込まれて保持されている、請求項１に記載の間仕切り。
【請求項３】
前記吸音板の前記前後方向の寸法は、前記縦枠部及び前記横枠部の前後方向の寸法以上である、請求項１又は２に記載の間仕切り。
【請求項４】
前記吸音板の前記前後方向の寸法は、前記縦枠部及び前記横枠部の前後方向の寸法よりも大きく形成されている、請求項１又は２に記載の間仕切り。
【請求項５】
前記吸音板は、前記前後方向への弾性を有している、請求項４に記載の間仕切り。
【請求項６】
前記カバー部材は、前記前後方向への伸縮が可能となる伸縮性を有している、請求項１〜５のいずれか１項に記載の間仕切り。
【請求項７】
前記カバー部材は、下方のみを開放した袋状に形成されている、請求項１〜６のいずれか１項に記載の間仕切り。
【請求項８】
前記カバー部材には、当該間仕切りの幅方向両端に対応する位置に、当該間仕切りと同一構成の他の間仕切りに接続可能な接続部が設けられている、請求項１〜７のいずれか１項に記載の間仕切り。
【発明の詳細な説明】
【技術分野】
【０００１】
本発明は、間仕切りに関する。
【背景技術】
【０００２】
従来、間仕切りに対して吸音機能を持たせ、間仕切りにより囲まれた領域から外部への音の漏出等を抑制することが行われている。
【０００３】
吸音機能を持たせた間仕切りとして、特許文献１に記載の間仕切りがある。特許文献１に記載の間仕切りでは、ステープラを用いて、吸音板及び装飾布をフレームに対して取り付けている。この構造であるため、特許文献１に記載の間仕切りでは、装飾布が汚れた場合等には、ステープラを取り外すことにより装飾布を取り換えることができる。
【先行技術文献】
【特許文献】
【０００４】
【特許文献１】特開２００９−２６４０２９号公報
【発明の概要】
【発明が解決しようとする課題】
【０００５】
特許文献１に記載の間仕切りでは、ステープラを用いて、吸音板及び装飾布をフレームに対して取り付けるものであるため、フレームにはステープラが打ち込まれる構造が必要となり、構造が複雑化する。また、装飾布が汚れた場合には、装飾布を取り換えて貼り換えることができるものの、取り換える際にはステープラを取り外す必要が生ずる。この場合には、装飾布の表面に皺が生じないように張った状態でステープラを取り付ける必要があるため、装飾布の取り付けが困難である。
【０００６】
本発明は、上記課題を解決するためになされたものであり、その主たる目的は、簡易な構成で吸音板の保持が可能であり、且つ、簡易な構成でカバー部材により吸音板を覆うことが可能な間仕切りを提供することにある。
【課題を解決するための手段】
【０００７】
本発明は、間仕切りであって、幅方向に離間して配置された複数の縦枠部と、上下方向に離間して配置されて幅方向の両端が前記縦枠部にそれぞれ連結された複数の横枠部とを有し、前記縦枠部及び前記横枠部によって囲まれるとともに前後方向に開放される領域が形成されている枠部材と、前記領域に配置されている吸音板と、前記枠部材及び前記吸音板を覆い、前記吸音板が前記領域から前記前後方向へ脱落することを規制するカバー部材と、を備える。
【０００８】
上記構成によれば、枠部材によって間仕切りの骨格が形成され、枠部材の縦枠部と横枠部とで囲まれた領域に吸音板が配置される。吸音板は、枠部材とともにカバー部材によって覆われ、カバー部材は前記領域から前後方向へ脱落することを規制する。その結果、吸音板を前記領域に配置してカバー部材を被せるだけで保持することができ、簡易な構成で防音効果を発揮する間仕切りを提供することができる。
【図面の簡単な説明】
【０００９】
【図１】間仕切りの外観を示す斜視図である。
【図２】枠部材の斜視図である。
【図３】吸音板の斜視図である。
【図４】枠部材に吸音板を嵌め込んだ場合の正面図である。
【図５】図４のＡ−Ａ端面図である。
【図６】図５のＢ−Ｂ端面図である。
【図７】カバー部材の斜視図である。
【図８】図７のＣ−Ｃ端面図である。
【図９】図８の拡大端面図である。
【図１０】図７のＤ−Ｄ端面図である。
【図１１】間仕切りの正面図である。
【図１２】図１１のＥ−Ｅ端面図である。
【図１３】図１２の拡大端面図である。
【図１４】図１１のＦ−Ｆ端面図である。
【図１５】間仕切りを接続した場合の正面図である。
【図１６】第２実施形態におけるＡ−Ａ端面図である。
【図１７】第２実施形態におけるＥ−Ｅ端面図である。
【図１８】図１７の拡大端面図である。
【発明を実施するための形態】
【００１０】
以下、各実施形態を図面に基づいて説明する。なお、以下の各実施形態相互において、互いに同一もしくは均等である部分には、図中、同一符号を付しており、同一符号の部分についてはその説明を援用する。
【００１１】
＜第１実施形態＞
本実施形態に係る間仕切り１０は、図１に示すように、床面に対して起立させて用いられるものであり、主に屋内において使用される。
【００１２】
間仕切り１０を構成する枠部材２０は、図２に示すように、断面が円形であり且つ内側が中空の円筒である第１縦枠部２１と、第１縦枠部２１と共通の形状である第２縦枠部２２とを備えている。第１，２縦枠部２１，２２は、床面に対して垂直に配置され、第１縦枠部２１と第２縦枠部２２とは、横幅方向に間隔を開けて平行に配置されている。これら第１，２縦枠部２１，２２は、スチールにより形成されている。
【００１３】
第１縦枠部２１と第２縦枠部２２とは、横幅方向に延びる第１横枠部２３、第２横枠部２４、及び第３横枠部２５により接続されている。第１横枠部２３、第２横枠部２４、及び第３横枠部２５は、それぞれ、一端が第１縦枠部２１に取り付けられており、他端が第２縦枠部２２に取り付けられている。第１横枠部２３、第２横枠部２４、及び第３横枠部２５は、上側からこの順で、上下方向に互いに間隔を開けて、且つ、床面に対して平行となるように取り付けられている。
【００１４】
第１横枠部２３と第２横枠部２４との間隔は、第１縦枠部２１と第２縦枠部２２との間隔よりも狭く、第２横枠部２４と第３横枠部２５との間隔は、第１縦枠部２１と第２縦枠部２２との間隔よりも広い。第１〜３横枠部２３〜２５は、第１，２縦枠部２１，２２と同様に、スチールにより形成されている。第１，２縦枠部２１，２２と第１〜３横枠部２３〜２５との接続は、例えば、溶接により行われている。
【００１５】
第１〜３横枠部２３〜２５は、共通の形状をしており、断面が上下方向に長い長方形であり、且つ内側が中空の四角柱である。第１〜３横枠部２３〜２５の前後方向の厚みは、第１，２縦枠部２１，２２の外径よりも小さい。第１〜第３横枠部２３〜２５の厚み方向の中央と、第１，２縦枠部２１，２２の中心軸線とは、一致するように接続されている。第１〜３横枠部２３〜２５の上下方向の厚みについては、特に制限は無いが、本実施形態では第１，２縦枠部２１，２２の外形よりも大きくしている。
【００１６】
このように第１〜３横枠部２３〜２５が第１，２縦枠部２１，２２に取り付けられているため、横幅方向が第１縦枠部２１と第２縦枠部２２とにより区画され、上下方向が第１横枠部２３と第２横枠部２４とにより区画される空間である第１領域２６と、横幅方向が第１縦枠部２１と第２縦枠部２２とにより区画され、上下方向が第２横枠部２４と第３横枠部２５とにより区画される空間である第２領域２７とが形成される。第１領域２６は、正面視で横方向に長い長方形であり、第２領域２７は、正面視で縦方向に長い長方形である。
【００１７】
第１縦枠部２１及び第２縦枠部２２の下端のそれぞれには、支持部材２８が取り付けられている。支持部材２８は間仕切り１０の前後方向へそれぞれ延びる脚部を有しており、この脚部の下側には、キャスタ２９が設けられている。このキャスタ２９が床面に接地することで、第１縦枠部２１及び第２縦枠部２２は、床面に対して垂直に起立することとなる。
【００１８】
枠部材２０の第１領域２６及び第２領域２７には、それぞれ、第１吸音板３１、第２吸音板３４が嵌め込まれる。第１吸音板３１及び第２吸音板３４は、図３に示すように、板状に形成されたグラスウールである吸音材３２，３５と、その吸音材３２，３５の前後両面に貼り付けられたガラスクロス３３，３６とを備えている。第１吸音板３１は、正面視で横方向に長い長方形であり、第２吸音板３４は、正面視で縦方向に長い長方形である。
【００１９】
図４〜６に示すように、正面視において、第１吸音板３１の形状は第１領域２６の形状と等しく、第２吸音板３４の形状は第２領域２７の形状と等しい。すなわち、第１吸音板３１及び第２吸音板３４の左右方向の幅は、第１縦枠部２１と第２縦枠部２２との間隔と等しく、第１吸音板３１の上下方向の幅は、第１横枠部２３と第２横枠部２４との間隔と等しく、第２吸音板３４の上下方向の幅は、第２横枠部２４と第３横枠部２５との間隔に等しい。第１吸音板３１および第２吸音板３４の厚みは、第１，２縦枠部２１，２２の外径と等しく、第１〜３横枠部２３〜２５の前後方向の厚みよりも厚い。
【００２０】
枠部材２０の第１領域２６及び第２領域２７のそれぞれに、第１吸音板３１及び第２吸音板３４が嵌め込まれた状態で、枠部材２０、第１吸音板３１、及び第２吸音板３４に、カバー部材４０が被せられる。
【００２１】
カバー部材４０は、図７に示すように、上側及び左右の両側が閉塞され下側が開放されたカバー本体４１と、カバー本体４１の左右の両側に設けられた接続部４２とを有している。
【００２２】
カバー本体４１は、ポリエステル繊維の布地を袋状に形成したものであり、上側が閉塞しており、下側に開口が設けられている。カバー本体４１の床面に平行な面における内周の一周の長さは、枠部材２０の床面に平行な面における外周の一周の長さと等しい。すなわち、カバー本体４１の内周の一周の長さは、第１縦枠部２１と第２縦枠部２２の中心軸間の長さの２倍に第１縦枠部２１の円周を加算したものと等しい。
【００２３】
接続部４２は、カバー本体４１と同様にポリエステル繊維の布地で形成されており、同形状の前側部材４２ａと後側部材４２ｂとが縫い合わされて接合されている。接続部４２は、左右の両側のそれぞれに、４つの棒磁石４３を備えている。これら棒磁石４３は形状が等しく、上下方向に等間隔で設けられている。棒磁石４３は円柱形状であり、長尺方向が上下方向となるように設けられている。棒磁石４３は、図８〜１０の端面図に示すように、前側部材４２ａと後側部材４２ｂとの間に挟まれて、固定されている。具体的には、前側部材４２ａと後側部材４２ｂとは、幅方向の外側端部４４ａ，４４ｂどうしが縫い合わされており、且つ、幅方向の内側端部４５ａ，４５ｂどうしが縫い合わされている。この構成により、棒磁石４３の接続部４２における幅方向の位置は、外側端部４４ａ，４４ｂと内側端部４５ａ，４５ｂとの間に保持される。また、接続部４２において、棒磁石４３の上下方向の端部も縫い合わされている。この構成により、棒磁石４３の上下方向の位置が固定されている。
【００２４】
棒磁石４３の極性は、一方の接続部４２では、上側がＮ極となっており、他方の接続部４２では、上側がＳ極となっている。各棒磁石４３の上下方向の位置は、一方の接続部４２と他方の接続部４２とで等しくされている。
【００２５】
接続部４２の上側端部の近傍、及び下側端部の近傍には、それぞれ、釦４４が設けられている。この釦４４は、例えば、金属で形成されたジャンパーホックボタンである。この釦４４は前側部材及び後側の両方に設けられており、前側部材４２ａの釦４４は凸形状であり、後側部材４２ｂの釦４４は凹形状である。この釦４４は、横方向については、棒磁石４３が設けられる位置よりも外側に設けられている。
【００２６】
以上のように構成されるカバー部材４０が、上側から、枠部材２０、第１吸音板３１、及び第２吸音板３４に被せられることで、図１及び図１１に示す間仕切り１０が構成される。カバー部材４０のカバー本体４１の内側の寸法が上述したように定められているため、図１２〜１４の端面図に示すように、カバー部材４０の左右の両側の内面は、第１縦枠部２１、第２縦枠部２２の外周面に当接し、カバー部材４０の前後側の内面は、第１吸音板３１及び第２吸音板３４の前側の全面、及び後側の全面に当接する。また、第１，２吸音板３１，３４の厚みは、第１〜３横枠部２３〜２５の厚みよりも厚いため、第１〜３横枠部２３〜２５とカバー部材４０との間には、空隙が生ずる。
【００２７】
第１吸音板３１及び第２吸音板３４の左右方向の位置は、第１，２縦枠部２１，２２により固定され、第１吸音板３１の上下方向の位置は、第１，２横枠部２３，２４により固定され、第２吸音板３４の上下方向の位置は、第２，３横枠部２４，２５により固定される。第１，２吸音板３１，３４の前後方向（厚み方向）の位置は、カバー部材４０のカバー本体４１の内面により固定される。
【００２８】
続いて、以上で説明した間仕切り１０どうしを接続した場合について、図１５を参照して説明する。間仕切り１０どうしは、互いの接続部４２どうしが当接させられることで接続される。具体的には、棒磁石４３のＳ極が上側となっている接続部４２と、棒磁石４３のＮ極が上側となっている接続部４２とが当接させられる。こうすることで、棒磁石４３のＳ極側とＮ極側とが引き付け合い、接続部４２どうしが接続される。
【００２９】
このとき、棒磁石４３が接続部４２の幅方向において、両端から離間して設けられているため、接続部４２は、棒磁石４３が設けられていない内側端部４５ａ，４５ｂにおいて撓む。これにより、接続部４２どうしを接続させるうえで、間仕切り１０自体の位置の細かい位置の調整が必要なくなり、接続部４２どうしの接続を容易にすることができる。
【００３０】
接続部４２どうしを接続するうえで、接続部４２に設けられた釦４４による接続も行われる。上述したように、接続部４２の前側部材４２ａには凸形状の釦４４が取り付けられており、後側部材４２ｂには凹形状の釦４４が取り付けられている。そのため、一方の間仕切り１０の接続部４２の前側部材４２ａと、他方の間仕切り１０の接続部４２の後側部材４２ｂとを当接させて、釦４４を係合させる。こうすることで、棒磁石４３の磁力による接続と、釦４４の係合による接続とが行われ、より確実に間仕切り１０どうしを接続することができる。
【００３１】
図１５のように間仕切り１０どうしを接続した場合、接続される側とは反対側の接続部４２については、内側へと折り曲げ、スチール製の枠部材２０に磁着させればよい。
【００３２】
上記構成により、本実施形態に係る間仕切り１０は以下の効果を奏する。
【００３３】
・枠部材２０によって間仕切り１０の骨格が形成され、枠部材２０の縦枠部２１，２２と横枠部２３〜２５とで囲まれた領域２６，２７に吸音板３１，３４が配置される。吸音板３１，３４は、枠部材２０とともにカバー部材４０によって覆われ、カバー部材４０は領域２６，２７から前後方向へ脱落することを規制する。その結果、吸音板３１，３４を領域２６，２７に配置してカバー部材４０を被せるだけで保持することができ、簡易な構成で防音効果を発揮する間仕切り１０を提供することができる。
【００３４】
・特に屋内に配置される物品に吸音板３１，３４を設ける場合、吸音板３１，３４は意匠性に乏しいため、一般的には、吸音板３１，３４の表面に化粧材等が接着される。この場合、化粧材等の接着には可燃性の接着剤が用いられるため、防火性能が低下する。この点、本実施形態では、吸音板３１，３４がカバー部材４０で覆われるため、吸音板３１，３４の表面に化粧材等を接着する必要がなく、可燃性の接着剤が不要になる。したがって、間仕切り１０全体の防火性能を向上させることができる。
【００３５】
・吸音板３１，３４の表面に化粧材等を接着剤により接着すれば、吸音板３１，３４の表面の少なくとも一部に接着剤の層が形成される。この場合には、接着剤の層により吸音板３１，３４への音の入射が妨げられることとなるため、吸音板３１，３４全体の吸音性能が低下する。この点、本実施形態では、吸音板３１，３４がカバー部材４０で覆われるため、吸音板３１，３４の表面に接着剤の層が形成されず、吸音板３１，３４への音の入射が妨げられない。したがって、間仕切り１０全体の吸音性能を向上させることができる。
【００３６】
・第１，２吸音板３１，３４を第１，２領域２６，２７に配置すると、第１、２縦枠部２１，２２間及び第１〜３横枠部２３〜２５間に嵌め込まれた形になる。そのため、カバー部材４０を取り付ける前段階において第１、２吸音板３１，３４を第１、２領域２６，２７に仮止めすることができ、カバー部材４０で覆う際における作業性が向上する。なお、第１、２吸音板３１，３４を第１、２縦枠部２１，２２間及び第１〜３横枠部２３〜２５間に嵌め込まれた形にした場合には、枠部材２０内の空間を第１、２吸音板３１，３４により埋めることができるため、カバー部材４０のみで間仕切る箇所が生じにくくなる。
【００３７】
・カバー部材４０の内面を吸音板３１，３４の表面に当接させているため、吸音板３１，３４を領域２６，２７内に位置決めしやすくなり、吸音板３１，３４のがたつきを抑制することができる。
【００３８】
・吸音板３１，３４として弾性を有するグラスウールを採用しているため、製造するうえでの寸法の誤差を吸収することができる。
【００３９】
・カバー部材４０を上部が閉塞した袋状としているため、枠部材２０の上方から被せるのみで枠部材２０及び吸音板３１，３４を覆うことができる。
【００４０】
・間仕切り１０の幅方向の両端に接続部４２を設けているため、複数の間仕切り１０を組み合わせて用いることができる。
【００４１】
＜第２実施形態＞
本実施形態では、枠部材２０の形状については、第１実施形態と同様の形状としている。一方、第１吸音板１３１の厚みを、図１６に示すように、枠部材２０の第１，２縦枠部２１，２２の直径よりも大きくしている。なお、第２吸音板についても第１吸音板１３１と同じ厚みとしているが、第２吸音板を含む位置での端面図は、Ａ−Ａ端面図及びＥ−Ｅ端面図と同様であるため、図示及び説明を省略する。
【００４２】
カバー部材１４０は、図１７及び図１８の端面図に示すように、第１実施形態と同様に、上側及び左右の両側が閉塞され下側が開放されたカバー本体１４１と、カバー本体１４１の左右の両側に設けられた接続部１４２とを有している。
【００４３】
カバー本体１４１は、ポリエステル繊維の布地を袋状に形成したものである。カバー本体１４１の床面に平行な面における内周の一周の長さは、枠部材２０の床面に平行な面における外周の一周の長さよりも大きく、且つ、枠部材２０に第１吸音板１３１を嵌め込んだ場合の外形よりも小さい。より具体的には、カバー本体４１の内周の一周の長さは、第１縦枠部２１と第２縦枠部２２の中心軸間の長さの２倍に第１縦枠部２１の円周を加算したものよりも大きく、且つ、第１縦枠部２１と第２縦枠部２２の中心軸間の長さの２倍に第１縦枠部２１の円周の２倍を加算したものよりは小さい。
【００４４】
カバー部材１４０の接続部１４２は、第１実施形態と同様に、前側部材１４２ａ及び後側部材１４２ｂを備えている。前側部材１４２ａと後側部材１４２ｂとの間には、棒磁石１４３が設けられている。前側部材１４２ａと後側部材１４２ｂとは、幅方向の外側端部１４４ａ，１４４ｂどうしが縫い合わされており、且つ、幅方向の内側端部１４５ａ，１４５ｂどうしが縫い合わされている。この構成により、棒磁石１４３の接続部１４２における幅方向の位置は、外側端部１４４ａ，１４４ｂと内側端部１４５ａ，１４５ｂとの間に保持される。また、接続部１４２は、第１実施形態と同様の釦（図示せず）も備えている。
【００４５】
このようにカバー部材１４０の形状が定められているため、枠部材２０に第１吸音板１３１及び第２吸音板（図示せず）を嵌め込み、図１７、及び図１８の端面図に示すように、カバー部材１４０で覆えば、カバー部材１４０の内側は、第１，２縦枠部２１，２２に当接するとともに、吸音板１３１に当接する。このとき、吸音板１３１には、前後方向から押圧され、前後方向（厚み方向）へと縮む弾性変形が生ずる。一方、カバー部材１４０の内面は、吸音板１３１からの押圧力を受けることとなり、その押圧力による張力が絶えず生ずることとなる。
【００４６】
上記構成により、本実施形態に係る間仕切り１０は、第１実施形態に係る間仕切り１０が奏する効果に加えて、以下の効果を奏する。
【００４７】
・吸音板１３１の厚みを、第１，２縦枠部２１，２２の外径、及び第１〜３横枠部２３〜２５の厚みよりも厚くしているため、枠部材２０に形成された領域に吸音板１３１を嵌め込み、カバー部材１４０を被せた場合に、吸音板１３１はカバー部材１４０に前後方向から挟まれて弾性変形する。この場合には、吸音板１３１は元の形状へと戻るべく、カバー部材１４０を内側から押圧されることとなる。したがって、吸音板１３１に対するカバー部材１４０の保持力を向上させるとともに、カバー部材１４０の表面に皺を生じさせることなく、枠部材２０及びカバー部材１４０を覆うことができる。
【００４８】
＜変形例＞
・実施形態では、第１〜３横枠部２３〜２５の厚みを、第１縦枠部２１及び第２縦枠部２２の外径よりも小さいものとしたが、第１〜３横枠部のうちの少なくともひとつの厚みを、第１縦枠部２１及び第２縦枠部２２の外径と等しくしてもよい。また、第１〜３横枠部２３〜２５のうちの少なくともひとつの厚みを、第１，２縦枠部２１，２２の外径よりも大きくしてもよい。この場合には、第１吸音板３１及び第２吸音板３４の厚みは、第１〜３横枠部２３〜２５のうちの最も厚いもの以上とすればよい。
【００４９】
・実施形態では、第１横枠部２３と第２横枠部２４との間隔と、第２横枠部２４と第３横枠部２５との間隔とを異なるものとし、第１吸音板３１と第２吸音板３４との外形も異なるものとした。この点、第１横枠部２３と第２横枠部２４との間隔と、第２横枠部２４と第３横枠部２５との間隔とを等しいものとし、第１吸音板３１と第２吸音板３４との外形を等しくしてもよい。こうすることで、第１吸音板３１及び第２吸音板３４を共通化することができ、間仕切り１０の製造コストを低減することができる。
【００５０】
・実施形態では、正面視において、第１，２吸音板３１，３４の形状を、第１，２領域２６，２７の形状と等しくした。この点、第１，２吸音板３１，３４をグラスウールのような弾性変形が可能な部材で形成するならば、第１，２領域２６，２７よりも大きく形成してもよい。
【００５１】
・実施形態では、正面視において、第１，２吸音板３１，３４の形状を、第１，２領域２６，２７の形状と等しくした。この点、正面視において、第１，２吸音板３１，３４の形状を第１，２領域２６，２７の形状よりも小さいものとしてもよい。この場合においても、第１，２吸音板３１，３４を、カバー部材４０により正面及び背面から保持することができる。
【００５２】
・実施形態では、第１領域２６の上側を第１横枠部２３により規定するものとしたが、第１横枠部２３を設けないものとしてもよい。この場合においても、第１吸音板３１の左右の両側を第１，２縦枠部２１，２２により保持でき、下側を第２横枠部２４により保持できるため、第１吸音板３１の位置のずれを抑制することができる。
【００５３】
実施形態では、接続部４２を、前側部材４２ａと後側部材４２ｂとにより構成しているが、前側部材４２ａと後側部材４２ｂとを一体とし、外側端部４４ａ，４４ｂで折り曲げる構成としてもよい。
【００５４】
・第２実施形態におけるカバー部材１４０の内側の形状を、第１実施形態におけるカバー部材４０の内側の形状と等しくしてもよい。この場合には、吸音板１３１が前後方向からより押圧されることとなり、保持力が向上する。また、カバー部材１４０の表面に皺が生ずる事態をより抑制することができる。
【００５５】
・第１実施形態では、カバー部材４０の内側の形状を枠部材２０の外形と等しくしたが、カバー部材４０を伸縮性を有する材料で形成し、内側の形状を枠部材２０の外形よりも小さくするものとしてもよい。第２実施形態についても同様である。
【００５６】
・カバー部材４０を伸縮性を有する材料で形成する場合には、第１、２吸音板３１，３４の厚みを、第１、２縦枠部２１，２２の外形よりも大きくしてもよい。
【００５７】
・実施形態では、第１，２縦枠部の間に第１〜３横枠部を設け、それらの間に第１領域２６及び第２領域２７を形成するものとした。この点、第１，２縦枠部の間に設ける横枠部の数は３つに限られず、２つ以上であればよい。この場合、縦枠部と横枠部とにより区画される領域の数だけ吸音板を設けるものとすればよい。
【００５８】
・実施形態では、接続部４２，１４２に棒磁石４３，１４３を設け、間仕切り１０どうしを棒磁石４３，１４３の磁力により接続するものとした。この点、棒磁石以外の磁石、例えば、板状の磁石等を採用してもよい。また、ファスナや面ファスナにより間仕切り１０どうしを接続可能としてもよい。
【００５９】
・縦枠部及び横枠部の断面形状は、実施形態で示したものに限られず、種々の変更が可能である。
【００６０】
・実施形態では、カバー部材４０，１４０の左右の両側に接続部４２，１４２を設けるものとしたが、接続部４２，１４２は設けなくてもよい。
【００６１】
・実施形態では、カバー部材４０，１４０を上端が閉じた袋状としたが、上端が開放された筒状としてもよい。
【００６２】
・実施形態では、枠部材２０の下端にキャスタ２９を設けるものとしたが、キャスタ２９は設けなくてもよい。
【００６３】
・実施形態では、間仕切り１０を床面に対して起立させて用いるものとしたが、天井等から吊るすものとしてもよい。この場合には、カバー部材４０は、下側（床側）から枠部材２０へ被せるものとすればよい。
【００６４】
・間仕切り１０を構成する各部材の材料は、実施形態で示したものに限られず、適宜変更することが可能である。
【符号の説明】
【００６５】
１０…間仕切り、２０…枠部材、２１…第１縦枠部、２２…第２縦枠部、２３…第１横枠部、２４…第２横枠部、２５…第３横枠部、２６…第１領域、２７…第２領域、３１…第１吸音板、３４…第２吸音板、４０…カバー部材、４１…カバー本体、１３１…吸音板、１４０…カバー部材。
【図１】
2018040158.tif 000003
【図２】
2018040158.tif 000004
【図３】
2018040158.tif 000005
【図４】
2018040158.tif 000006
【図５】
2018040158.tif 000007
【図６】
2018040158.tif 000008
【図７】
2018040158.tif 000009
【図８】
2018040158.tif 000010
【図９】
2018040158.tif 000011
【図１０】
2018040158.tif 000012
【図１１】
2018040158.tif 000013
【図１２】
2018040158.tif 000014
【図１３】
2018040158.tif 000015
【図１４】
2018040158.tif 000016
【図１５】
2018040158.tif 000017
【図１６】
2018040158.tif 000018
【図１７】
2018040158.tif 000019
【図１８】
2018040158.tif 000020